(57)【要約】      （修正有）【課題】居眠り状態の検知精度が高く、且つ、使い勝手の良い居眠り防止眼鏡の提供。【解決手段】眼鏡本体と、前記眼鏡本体に取り付けられる振動部５と、前記眼鏡本体に対する前記振動部５の取付角度を調整する角度調整部８とを備え、前記振動部５は、振動モータ６１と、電源６２と、前記眼鏡本体の傾きを検知する傾きセンサと、前記傾きセンサによって検知された傾きに基づいて、前記電源６２から前記振動モータ６１への電力の供給をオンオフするスイッチ部６３とを有する。【選択図】図２
2008102466.tif 000002
【特許請求の範囲】
【請求項１】
眼鏡本体と、前記眼鏡本体に取り付けられる振動部と、前記眼鏡本体に対する前記振動部の取付角度を調整する角度調整部とを備え、
前記振動部は、
振動モータと、電源と、前記眼鏡本体の傾きを検知する傾きセンサと、前記傾きセンサによって検知された傾きに基づいて、前記電源から前記振動モータへの電力の供給をオンオフするスイッチ部とを有することを特徴とする居眠り防止眼鏡。
【請求項２】
眼鏡本体と、前記眼鏡本体に取り付けられる振動部と、前記眼鏡本体に対する前記振動部の取付角度を調整する角度調整部とを備え、
前記振動部は、
振動モータと、電源と、前記電源から前記振動モータへの電力の供給を所定の時間間隔でオンオフするタイムスイッチ部とを有することを特徴とする居眠り防止眼鏡。
【請求項３】
レンズを保持する前枠と、前記前枠の左右方向両端からそれぞれ後方に延出する左右一対のテンプル本体、及び前記テンプル本体から後方に延出し、左右方向内側に湾曲する振動部を具備する左右一対のテンプルとを有する眼鏡本体と、前記テンプル本体に対する前記振動部の取付角度を調整する角度調整部とを備え、
前記振動部は、
振動モータと、電源と、前記眼鏡本体の傾きを検知する傾きセンサと、前記傾きセンサによって検知された傾きに基づいて、前記電源から前記振動モータへの電力の供給をオンオフするスイッチ部とを有することを特徴とする居眠り防止眼鏡。
【請求項４】
レンズを保持する前枠と、前記前枠の左右方向両端からそれぞれ後方に延出する左右一対のテンプル本体、及び前記テンプル本体から後方に延出し、左右方向内側に湾曲する振動部を具備する左右一対のテンプルとを有する眼鏡本体と、前記テンプル本体に対する前記振動部の取付角度を調整する角度調整部とを備え、
前記振動部は、
振動モータと、電源と、前記電源から前記振動モータへの電力の供給を所定の時間間隔でオンオフするタイムスイッチ部とを有することを特徴とする居眠り防止眼鏡。
【発明の詳細な説明】
【技術分野】
【０００１】
本発明は、装着者の居眠りを防止する居眠り防止眼鏡に関する。
【背景技術】
【０００２】
近年、車両の運転中や会議中の居眠りを防止するために、様々な居眠り防止器が提案されている。例えば、特許文献１には、単位時間当りの瞬きの回数を検出し、検出した回数に基づいて、居眠り状態か否かを判断し、居眠り状態と判断すると、警報器を鳴動させる居眠り防止器が提案されている。
【０００３】
特許文献１の居眠り防止器は、眼球に向けて光を出射するＬＥＤと、眼球又は瞼からの反射光を受光するフォトダイオードとを備える。眼球と瞼とでは、光の反射率が異なるため、瞬きがあると、フォトダイオードの受光量が変動する。特許文献１の居眠り防止器は、フォトダイオードの受光量に変動があると、瞬きがあったと判断する。
【０００４】
しかしながら、フォトダイオードの受光量は、太陽光や蛍光灯等の光がフォトダイオードに入射することで瞬きの有無に関係なく変動するため、特許文献１の居眠り防止器では、瞬きが誤って判断され、居眠り状態の判断が誤って行われる恐れがある。また、眼球を照射できる向きにＬＥＤを調節したり、眼球からの反射光を受光できる向きにフォトダイオードを調節したりすることは困難であるため、特許文献１の居眠り防止器は、使い勝手が悪いという問題がある。
【特許文献１】特開昭６３−２１６１９３号公報
【発明の開示】
【発明が解決しようとする課題】
【０００５】
本発明は、居眠り状態の検知精度が高く、且つ、使い勝手の良い居眠り防止眼鏡を提供することを課題とする。
【課題を解決するための手段】
【０００６】
本発明は、第１の手段として、眼鏡本体と、前記眼鏡本体に取り付けられる振動部と、前記眼鏡本体に対する前記振動部の取付角度を調整する角度調整部とを備え、前記振動部は、振動モータと、電源と、前記眼鏡本体の傾きを検知する傾きセンサと、前記傾きセンサによって検知された傾きに基づいて、前記電源から前記振動モータへの電力の供給をオンオフするスイッチ部とを有する居眠り防止眼鏡を提供する。
【０００７】
第１の手段として提供される居眠り防止眼鏡は、眼鏡本体と、眼鏡本体に取り付けられる振動部とを備える。振動部は、眼鏡本体の傾きを検知する傾きセンサを有し、眼鏡本体の装着者の頭部の傾きを検知することができる。装着者が居眠りをすると、頭部が傾くため、第１の手段として提供される居眠り防止眼鏡は、頭部の傾きによって、装着者の居眠り状態を検知することができる。頭部の傾きによって居眠り状態を検知するので、居眠り状態の検知が太陽光や蛍光灯等の光に影響されず、そのため、第１の手段として提供される居眠り防止眼鏡は、居眠り状態の検知を精度良く行うことができる。
【０００８】
振動部は、傾きセンサの他、振動モータと、電源と、傾きセンサによって検知された傾きに基づいて、電源から振動モータへの電力の供給をオンオフするスイッチ部とを有している。電源から振動モータへの電力の供給がオンされると、振動モータが振動する。振動モータが振動すると、振動が、振動部から眼鏡本体に伝達され、眼鏡本体から眼鏡本体の装着者の頭部に伝達される。従って、居眠り状態に対応した傾きが傾きセンサに検知されると、電源から振動モータへの電力の供給をオンするようにスイッチ部を構成すれば、第１の手段として提供される居眠り防止眼鏡は、装着者が居眠りすると、装着者の頭部に振動を与えて目覚めさせることができる。また、振動モータの振動を眼鏡本体を介して装着者に与えることで、振動に敏感な頭部に振動を与ることができるので、確実に装着者を目覚めさせることができる。
【０００９】
更に、第１の手段として提供される居眠り防止眼鏡は、眼鏡本体に対する振動部の取付角度を調整する角度調整手段を備える。従って、眼鏡本体を装着したときの眼鏡本体の傾きに個人差があっても、装着者に応じて振動部の取付角度を調整することで、個人差の有無に関係なく、居眠り状態を精度良く検知することができる。
【００１０】
また、本発明は、第２の手段として、眼鏡本体と、前記眼鏡本体に取り付けられる振動部と、前記眼鏡本体に対する前記振動部の取付角度を調整する角度調整部とを備え、前記振動部は、振動モータと、電源と、前記電源から前記振動モータへの電力の供給を所定の時間間隔でオンオフするタイムスイッチ部とを有する居眠り防止眼鏡を提供する。
【００１１】
第２の手段として提供される居眠り防止眼鏡は、第１の手段として提供される居眠り防止眼鏡と同様に、眼鏡本体と、振動部と、角度調整部とを備える。振動部は、振動モータと、電源と、電源から振動モータへの電力の供給を所定の時間間隔でオンオフするタイムスイッチ部とを有している。所定の時間間隔で電源から振動モータへの電力の供給がオンオフされることで、振動モータは、所定の時間間隔で振動し、所定の時間間隔で装着者に振動を与える。よって、第２の手段として提供される居眠り防止眼鏡は、装着者が居眠りをしていなくても振動が与えられるので、装着者が居眠りするのを未然に防止できる。
【００１２】
第１の手段及び第２の手段として提供される居眠り防止眼鏡の具体的な構成として、前記角度調整部は、前記眼鏡本体に固定された第１回転盤と、前記振動部に固定された第２回転盤と、前記第１回転盤と前記第２回転盤とに挿通された回転軸とを備え、前記第１回転盤と前記第２回転盤とは、径方向に延びる凹凸部が表面に複数形成され、互いの表面に形成された凹凸部が噛み合った状態では、前記回転軸周りの相対的な回転が不能である一方、互いの表面に形成された凸部が弾性変形すること、又は、互いの表面に形成された凹凸部が前記回転軸の軸方向に互いに離間することによって、前記回転軸周りに相対的な回転が可能となる構成を挙げることができる。
【００１３】
かかる好ましい構成において、眼鏡本体に固定された第１回転盤と振動部に固定された第２回転盤とは、互いの表面に形成された凹凸部が噛み合って（第１回転盤の表面に形成された凹部と第２回転盤の表面に形成された凸部とが、及び、第１回転盤の表面に形成された凸部と第２回転盤の表面に形成された凹部とが、それぞれ噛み合って）回転軸周りの相対的な回転が不能とされている。第１回転盤及び第２回転盤の表面に形成された凸部が弾性変形可能とすることにより、互いの表面に形成された凹凸部が噛み合った状態で、眼鏡本体又は振動部に対して回転軸周りに回転させる力を加えると、互いの隣接する凸部同士が回転力を加えた方向に押圧し合って弾性変形する。これにより、隣接する凸部同士が互いに乗り越えて回転することになり、第１回転盤と第２回転盤とが相対的に回転可能となる。そして、互いの表面に形成された凹凸部が噛み合うことができる位置で回転力を解除すると、互いの表面に形成された凸部が元の形状に戻り、互いの表面に形成された凹凸部が噛み合って、第１回転盤と第２回転盤との相対的な回転が不能となる。また、第１回転盤及び第２回転盤の表面に形成された凹凸部が回転軸の軸方向に離間可能となることにより、互いの表面に形成された凹凸部の噛み合いが解除されるまで離間させれば、第１回転盤と第２回転盤とが相対的に回転可能となる。そして、互いの表面に形成された凹凸部が噛み合うことができる位置で回転軸の軸方向に互いの凹凸部を近づければ、互いの表面に形成された凹凸部が噛み合って、第１回転盤と第２回転盤との相対的な回転が不能となる。
【００１４】
また、本発明は、第３の手段として、レンズを保持する前枠と、前記前枠の左右方向両端からそれぞれ後方に延出する左右一対のテンプル本体、及び前記テンプル本体から後方に延出し、左右方向内側に湾曲する振動部を具備する左右一対のテンプルとを有する眼鏡本体と、前記テンプル本体に対する前記振動部の取付角度を調整する角度調整部とを備え、前記振動部は、振動モータと、電源と、前記眼鏡本体の傾きを検知する傾きセンサと、前記傾きセンサによって検知された傾きに基づいて、前記電源から前記振動モータへの電力の供給をオンオフするスイッチ部とを有する居眠り防止眼鏡を提供する。
【００１５】
第３の手段として提供される居眠り防止眼鏡の眼鏡本体のテンプルは、テンプル本体から後方に延出し、左右方向内側に湾曲する振動部を具備している。従って、かかる眼鏡本体は、装着すると、振動部が装着者の側頭部に押し当たる態様とされている。このように装着時に振動部が側頭部に押し当たるので、振動部の振動を装着者に直接伝達でき、小さい振動で装着者を目覚めさせることができる。
【００１６】
また、本発明は、第４の手段として、レンズを保持する前枠と、前記前枠の左右方向両端からそれぞれ後方に延出する左右一対のテンプル本体、及び前記テンプル本体から後方に延出し、左右方向内側に湾曲する振動部を具備する左右一対のテンプルとを有する眼鏡本体と、前記テンプル本体に対する前記振動部の取付角度を調整する角度調整部とを備え、前記振動部は、振動モータと、電源と、前記電源から前記振動モータへの電力の供給を所定の時間間隔でオンオフするタイムスイッチ部とを有する居眠り防止眼鏡を提供する。
【００１７】
第４の手段として提供される居眠り防止眼鏡のテンプルは、第３の手段として提供される居眠り防止眼鏡と同様に、テンプル本体から後方に延出し、左右方向内側に湾曲する振動部を具備している。よって、振動部の振動を装着者に直接伝達できる。また、振動部は、第２の手段として提供される居眠り防止眼鏡の振動部と同様に、振動モータと、電源と、タイムスイッチ部とを有している。従って、第４の手段として提供される居眠り防止眼鏡は、振動モータの振動が小さくても、装着者が居眠りするのを未然に防止できる。
【００１８】
また、第３の手段及び第４の手段として提供される居眠り防止眼鏡の好ましい構成として、前記テンプルは、ストレートテンプルであり、前記眼鏡本体は、前記テンプルの後端部の前端部から分岐し、耳の裏側に沿うように湾曲した耳掛部を有する構成を挙げることができる。
【００１９】
テンプルの形態がストレートテンプルの場合、テンプルのみでは眼鏡本体の支持力が弱く、振動部が振動すると眼鏡本体がずれ落ちる恐れが有る。かかる好ましい構成のように、耳掛部を有すれば、ストレートテンプルと耳掛部とで眼鏡本体を支持することができるので、眼鏡本体のずれ落ちを防止することができる。
【００２０】
また、第３の手段及び第４の手段として提供される居眠り防止眼鏡の好ましい構成として、前記眼鏡本体は、軸部材を介して前記耳掛部に揺動可能に取り付けられ、耳の裏側に当接可能な耳当接部を有する耳当て部材と、前記テンプルの前記耳当て部材が取り付けられた前記耳掛部の部位より前方にある所定部と前記耳当接部の前端部とを連結する可撓性の絡み防止部材とを有した構成を挙げることができる。
【００２１】
第３の手段及び第４の手段として提供される眼鏡本体においては、眼鏡本体を装着した状態で、前枠がずれ落ちようとすると、耳掛部はずれ上がろうとし、耳掛部に取り付けられた耳当て部材の耳当接部が上方へ移動しようとする。そして、耳当て部材の耳当接部が上方へ移動しようとすると、耳当て部材の耳当接部は軸部材を中心として前回り方向へ回転しようとする。この時、耳当接部の前端部が耳の裏側を押圧する力が大きくなり、その結果、耳当接部と耳の裏側との相対的な移動が阻止され、耳掛部のずれ上がりが阻止される。かかる好ましい構成では、眼鏡本体のずれ落ちがこのように防止される。
【００２２】
一方、可撓性の絡み防止部材がテンプルの耳当て部材が取り付けられた耳掛部の部位より前方にある所定部と耳当接部の前端部とを連結するように取り付けられており、眼鏡本体を外す際に、耳掛部を上方へ持ち上げても耳掛部と耳当接部の前端部との間が絡み防止部材で塞がれているため、髪の毛が耳掛部と耳当て部材との取り付け部分に入り込みにくく、これに絡まることが抑制される。また、絡み防止部材は、可撓性を有しており、耳当て部材の揺動を阻害することがないため、眼鏡本体のずれ落ち抑制の機能を阻害することもない。
【００２３】
また、第３の手段及び第４の手段として提供される居眠り防止眼鏡の具体的な構成として、前記角度調整部は、前記テンプル本体に固定された第１回転盤と、前記振動部に固定された第２回転盤と、前記第１回転盤と前記第２回転盤とに挿通された回転軸とを備え、前記第１回転盤と前記第２回転盤とは、径方向に延びる凹凸部が表面に複数形成され、互いの表面に形成された凹凸部が噛み合った状態では前記回転軸周りの相対的な回転が不能である一方、互いの表面に形成された凸部が弾性変形すること、又は、互いの表面に形成された凹凸部が前記回転軸の軸方向に互いに離間することによって、前記回転軸周りに相対的な回転が可能となる構成を挙げることができる。
【００２４】
かかる好ましい構成において、テンプル本体に固定された第１回転盤と振動部に固定された第２回転盤とは、互いの表面に形成された凹凸部が噛み合って（第１回転盤の表面に形成された凹部と第２回転盤の表面に形成された凸部とが、及び、第１回転盤の表面に形成された凸部と第２回転盤の表面に形成された凹部とが、それぞれ噛み合って）回転軸周りの相対的な回転が不能とされている。第１回転盤及び第２回転盤の表面に形成された凸部が弾性変形可能とすることにより、互いの表面に形成された凹凸部が噛み合った状態で、テンプル本体又は振動部に対して回転軸周りに回転させる力を加えると、互いの隣接する凸部同士が回転力を加えた方向に押圧し合って弾性変形する。これにより、隣接する凸部同士が互いに乗り越えて回転することになり、第１回転盤と第２回転盤とが相対的に回転可能となる。そして、互いの表面に形成された凹凸部が噛み合うことができる位置で回転力を解除すると、互いの表面に形成された凸部が元の形状に戻り、互いの表面に形成された凹凸部が噛み合って、第１回転盤と第２回転盤との相対的な回転が不能となる。また、第１回転盤及び第２回転盤の表面に形成された凹凸部が回転軸の軸方向に離間可能となることにより、互いの表面に形成された凹凸部の噛み合いが解除されるまで離間させれば、第１回転盤と第２回転盤とが相対的に回転可能となる。そして、互いの表面に形成された凹凸部が噛み合うことができる位置で回転軸の軸方向に互いの凹凸部を近づければ、互いの表面に形成された凹凸部が噛み合って、第１回転盤と第２回転盤との相対的な回転が不能となる。
【発明の効果】
【００２５】
本発明に係る居眠り防止眼鏡は、居眠り状態の検知が太陽光や蛍光灯等の光に影響されず、居眠り状態を精度良く検知することができる。更に、振動部の取付角度を調整することで、眼鏡本体を装着したときの眼鏡本体の傾きに個人差があっても、個人差の有無に関係なく居眠り状態を精度良く検知することができる。このように居眠り状態を精度良く検知することができるので、居眠りをより確実に防止することができる。また、本発明に係る居眠り防止眼鏡は、ＬＥＤやフォトダイオードの向きの調整が不要であり、眼鏡本体を装着するだけで使用することができ、使い勝手が良い。
【発明を実施するための最良の形態】
【００２６】
（実施形態１）
図１は本実施形態に係る居眠り防止眼鏡の外観図であり、（ａ）は側面図を示し、（ｂ）は平面図を示す。図１（ａ）及び（ｂ）に示すように、本実施形態に係る居眠り防止眼鏡１は、眼鏡本体２と、眼鏡本体２に取り付けられる振動部５と、眼鏡本体２に対する振動部５の取付角度を調整する角度調整部８とを備える。
【００２７】
図１（ａ）及び（ｂ）に示すように、眼鏡本体２は、左右一対のレンズ３１を有する前枠３と、前枠３の左右方向両端からそれぞれ後方に延出する一対のテンプル４とを有している。前枠３は、左右一対のレンズ３１の他、左右一対のレンズ３１を保持する左右一対のリム部３２と、左右一対のリム部３２を連結するブリッジ部３３と、左右の各リム部３の左右方向内側に取り付けられた鼻パット３４とを備えている。かかる前枠３の左右の各リム部３２の左右方向外側には、ヨロイ３５が連設されている。
【００２８】
テンプル４は、丁番構造３６を介して、左右の各ヨロイ３５から後方に延出されるように取り付けられている。丁番構造３６を介することで、テンプル４は、ヨロイ３５に対して回動自在とされている。図２は、テンプル４の後端部及び振動部５近傍の居眠り防止眼鏡１の拡大側面図である。図２に示すように、テンプル４の後端部には、耳の裏側に沿うように下方に湾曲した湾曲部４１が形成されている。かかる湾曲部４１の下端部には、軸部材４５を介して耳当て部材４４が揺動可能に取り付けられている。かかる耳当て部材４４は、湾曲部４１の下端部に対し軸部材４５によって揺動可能に連結される揺動部４２と、かかる揺動部４２に連設され耳の裏側に当接可能な耳当接部４３とを有している。湾曲部４１の下端部と揺動部４２とを連結する軸部材４５には、例えば、ピンやねじ等を用いることができる。耳当接部４３の前端部と湾曲部４１の前端部とは、可撓性の絡み防止部材４６によって連結されている。尚、本実施形態においては、耳当て部材４４と絡み防止部材４６とは、一体的に形成されている。
【００２９】
以上のような構成の眼鏡本体２は、鼻パッド３４を鼻に掛けると共に、耳当て部材４４の耳当接部４３を耳の裏側に掛けて、図２の実線で示すように、耳の裏側で耳当て部材４４及び絡み防止部材４６を湾曲部４１に押し当てて装着することができる。
【００３０】
振動部５は、角度調整部８を介して、湾曲部４１の後端部に取り付けられている。かかる振動部５は、筐体６を有し、かかる筐体６には、振動モータ６１と、電源６２と、眼鏡本体２の傾きを検知すると共に、検知した傾きに基づいて電源６２から振動モータ６１への電力の供給をオンオフするスイッチ部６３と、起動スイッチ部６４とが内蔵されている。図３は、振動部５の概略回路図である。図３に示すように、電源６１と振動モータ６２とは、スイッチ部６３と起動スイッチ部６４とがオンとなると導通する。従って、振動部５は、スイッチ部６３と起動スイッチ部６４とがオンの時に、電源６２から振動モータ６１への電力の供給が行われるように構成されている。
【００３１】
振動モータ６１について簡単に説明すると、振動モータ６１は、回転子と、回転子と相互作用して回転モーメントを発生させる固定子と、回転子の回転を外部に伝える回転軸と、回転軸を支える軸受けと、回転軸に偏心して取り付けられた分銅とを備えている。振動モータ６１に電源６２から電力が供給されると、回転子と固定子との間に回転モーメントが発生し、この回転モーメントによって回転子が回転する。回転子が回転すると、偏心した分銅が回転し、この分銅の回転によって振動モータ６１自身が振動する。
【００３２】
図４は、振動モータ６１に電源６２からの電力の供給をオンオフするスイッチ部６３の断面図である。図４に示すように、スイッチ部６３は、両端部が閉塞された略円筒状のケース体７０と、第１電極７２と、第２電極７３と、ケース室７１に収容された球体７４とを備える。
【００３３】
ケース体７０は、軸方向を前後方向に向け、眼鏡本体２を装着者が装着した時に、後下がりとなるような向きに筐体内６に配置されている。第１電極７２及び第２電極７３は、共に細長部材で形成され、ケース体７０の前端部（図２においては、左側）からケース室７１内に延出されている。第１電極７２は、ケース室７１の後方部（図２においては、右側）まで延出され、第２電極７３は、ケース室７１の前方部まで延出されている。かかる第１電極７２は電源６２に、第２電極７３は振動モータ６１に接続されている。球体７４は、ケース体７０が前下がりに傾くと、ケース室７１の前方部に移動し、ケース体７０が後下がりに傾くと、ケース室７１の後方部に移動する。かかる球体７４は、導電性部材によって構成されている。この導電性部材には、例えば、金属を用いることができる。球体７４は、ケース室７１内において、いずれの位置においても、第１電極７２と接触することが可能な大きさに形成されている。
【００３４】
かかるスイッチ部６３において、ケース体７０が前下がりに傾くと、球体７４は、ケース室７１の前方部に移動して、第２電極７３の先端部と接触する。球体７４が第２電極７３と接触すると、球体７４を介して第１電極７２と第２電極７３とが導通する。第１電極７２と第２電極７３とが導通すると、電源６２と振動モータ６１とが接続されて、スイッチ部６３はオンになる。一方、ケース体７０が後下がりに傾くと、球体７４は、ケース室７１の後方部に移動する。ケース室７１の後方部に移動すると、球体７４は、第２電極７３から離間し、第１電極７２と第２電極７３とが非導通となり、電源６２と振動モータ６１とが切断されて、スイッチ部６３はオフになる。
【００３５】
このように、スイッチ部６３は、第１電極７２と第２電極７３との間の導通（オン）、非導通（オフ）によって眼鏡本体２の傾きを検知する傾き検知機能と、検知した傾きに基づいて電源６２と振動モータ６１との接続、切断を切り替えるスイッチ機能とを備えている。尚、傾き検知機能とスイッチ機能とは、１つのセンサ部６３で実現させる必要は無く、傾き検知機能を傾きセンサで、スイッチ機能を傾きセンサと別体のスイッチで実現してもよい。傾きセンサには、例えば、角度ゲージを用いることができ、スイッチの機能は、角度ゲージが指し示す傾きに基づいて、電源６２と振動モータ６１との接続、切断を切り替えるスイッチを用いることができる。
【００３６】
図２に示すように、起動スイッチ部６４は、筐体６から後方に突出した突起部６５を備える。突起部６５は、装着者が指を引っ掛けて、図２の紙面と垂直方向に移動させることができるように構成されている。図２の紙面と垂直方向の一端側（オン位置）に突起部６５が移動すると、起動スイッチ部６４がオンとなり、他端側に突起部６５が移動すると、起動スイッチ部６４がオフとなる。
【００３７】
図５は、図２のＡ―Ａ断面図である。図５に示すように、角度調整部８は、眼鏡本体２に固定された第１回転盤８１と、振動部５に固定された第２回転盤８２と、第１回転盤８１と第２回転盤８２とに挿通された回転軸８３とを備えている。第１回転盤８１と第２回転盤８２とは、円盤状に形成されており、回転軸８３を挿通するための軸孔８４が中心に形成されている。更に、第１回転盤８１と第２回転盤８２との表面には、中心から径方向に延びる凹凸部が複数形成されている。第１回転盤８１と第２回転盤８２との表面に形成される凹凸部は、互いに他方の表面に形成される凹凸部と噛み合うことが可能な形状とされている。このような構成の第１回転盤８１と第２回転盤８２とは、回転軸８３に挿通された座金８５によって、互いに他方の表面に押し付けられ、互いの表面に形成された凹凸部が噛み合って相対的な回転が不能とされている。図２に示すように、第１回転盤８１は、眼鏡本体２のテンプル４の湾曲部４１の後端部から後方に突出するように、湾曲部４１と一体的に形成されている。一方、第２回転盤８２は、振動部５の筐体６の前面部から前方に突出するように、筐体６と一体的に形成されている。回転軸８３は、図２の紙面と垂直方向（眼鏡本体２の左右方向）に向いており、第１回転盤８１と第２回転盤８２とは、図２の紙面と垂直方向に重なっている。
【００３８】
このような角度調整部８を介して眼鏡本体２に取り付けられる振動部５は、装着者が、眼鏡本体２と振動部５とを手に持って振動部５に力を加えることで、眼鏡本体２に対して回転軸８３周りに回転（図２に示す矢印Ｒ方向に回転）させることができる。具体的に説明すれば、眼鏡本体２に対して振動部５を回転軸８３周りに回転させる力を振動部５に加えると、第１回転盤８１と第２回転盤８２との表面に形成された互いに隣接する凸部同士が回転力を加えた方向に押圧し合って弾性変形すると共に、第１回転盤８１及び第２回転盤８２が座金８５を押し退けて互いに回転軸８３の軸方向に離間する。この凸部の弾性変形と第１回転盤８１及び第２回転盤８２の離間とによって、凹凸部の噛み合いが解除され、第１回転盤８１と第２回転盤８２との表面に形成された凸部は隣接する凸部を乗り越えることができ、これにより第１回転盤８１に対して第２回転盤８２が回転することができる。第１回転盤８１に対して第２回転盤８２が回転すると、振動部５が回転軸８３を中心にして、図２に示す矢印Ｒ方向に回転し、眼鏡本体２に対する振動部５の取付角度が変わる。また、互いの表面に形成された凹凸部が噛み合うことができる位置で眼鏡本体２に対して振動部５を回転軸８３周りに回転させる力を解除すると、第１回転盤８１と第２回転盤８２とに形成された凹凸部が元の形状に戻り、第１回転盤８１と第２回転盤８２とが互いに他方の表面に座金８５によって押し付けられる。これにより、第１回転盤８１と第２回転盤８２との凹凸部が噛み合って、第１回転盤８１と第２回転盤８２との相対的な回転が不能となる。相対的な回転が不能となることで、眼鏡本体２に対する振動部５の取付角度が一定の角度に維持される。
【００３９】
尚、本実施形態では、凸部の弾性変形と、凹凸部の離間とによって、第１回転盤８１と第２回転盤８２との相対的な回転が実現されているが、第１回転盤８１と第２回転盤８２との相対的な回転は、これに限られるものでない。例えば、凸部の弾性変形によって実現されてもよい。これは、凸部を縦弾性係数が低い材質で形成したり、或いは、凹部と凸部との高低差を小さくしたりすることによって実現することができる。
【００４０】
以上の構成の居眠り防止眼鏡１は、起動スイッチ部６４の突起部６５をオン位置に移動させて、起動スイッチ部６４をオンにし、上記のように眼鏡本体２を装着することで使用することができる。起動スイッチ部６４をオンにして、眼鏡本体２を装着しているときに、装着者が居眠りをし、頭部が前方向に傾くと、眼鏡本体２が前下がりに傾き、スイッチ部６３のケース体７０が前下がりに傾く。ケース体７０が前下がりに傾くと、図４に示すように、球体７４がケース室７１の前方部に移動して、第１電極７２と第２電極７３とが導通し、スイッチ部６３がオンになる。スイッチ部６３がオンになると、振動モータ６１に電源６２から電力が供給され、振動モータ６１が振動する。振動モータ６１の振動は、振動モータ６１から筐体６に伝達され、筐体６から眼鏡本体２に伝達され、眼鏡本体２の鼻パッド３４又は耳当接部４３から装着者の鼻又は耳部周囲に伝達される。振動が伝達されると装着者は目を覚ます。
【００４１】
以上のように、本実施形態に係る居眠り防止眼鏡１は、頭部の傾きによって、居眠り状態を検知するので、居眠り状態の検知が太陽光や蛍光灯等の光に影響されず、居眠り状態の検知精度が良く、居眠りをより確実に防止することができる。また、本実施形態に係る居眠り防止眼鏡１は、眼鏡本体２に対する振動部５の取付角度を調整することができるので、眼鏡本体２を装着したときの眼鏡本体２の傾きに個人差があっても、装着者に応じて振動部５の取付角度を調整することで、個人差の有無に関係なく、居眠り状態を精度良く検知することができる。更に、鼻及び耳部周囲などを含む頭部は振動に敏感であるため、振動モータ６１の振動が小さくても装着者を目覚めさせることができる。また、本実施形態に係る居眠り防止眼鏡１は、起動スイッチ部６４をオンにして、眼鏡本体２を装着するだけで使用でき、使い勝手が良い。
【００４２】
また、本実施形態に係る眼鏡本体２は、眼鏡本体２を装着した状態で、前枠３がずれ落ちようとすると、テンプル４の湾曲部４１はずれ上がろうとし、湾曲部４１に取り付けられた耳当て部材４４が上方へ移動しようとする。そして、耳当て部材４４が上方へ移動しようとすると、耳当て部材４４の耳当接部４３は軸部材４５を中心として図２において左回りに回転しようとする。この時、耳当接部４３の前端部が耳の裏側を押圧する力が大きくなり、その結果、耳当接部４３と耳の裏側との相対的な移動が阻止され、湾曲部４１のずれ上がりが阻止される。このようにして、眼鏡本体２のずれ落ちが防止されているため、眼鏡本体２を装着した状態で、装着者の頭部が前方に傾いた状態で振動モータ６１が振動しても、眼鏡本体２がぐらつき難く、ずれ落ち難い。
【００４３】
また、本実施形態に係る眼鏡本体２は、図２に示すように、絡み防止部材４６が湾曲部４１の前端部と耳当て部材４４の耳当接部４３の前端部とを連結するように取り付けられている。こうすることで、眼鏡本体２を外す際に、テンプル４を上方へ持ち上げて、耳当て部材４４及び絡み防止部材４６が、図２に二点鎖線で示す状態となっても、湾曲部４１の前端部と耳当接部４３の前端部との間が絡み防止部材４６で塞がれているため、髪の毛がＸ方向から湾曲部４１と耳当接部４３との取り付け部分（揺動部４２）に入り込み難く、これに絡まることが抑制される。また、絡み防止部材４６は、可撓性を有しているため、眼鏡本体２のずれ落ち抑制の機能を阻害することもない。
【００４４】
（実施形態２）
以下、実施形態１と異なる点について説明し、同様の構成については説明を省略する。図６は、本実施形態に係る居眠り防止眼鏡１Ａの外観図であり、（ａ）は側面図を示し、（ｂ）は平面図を示す。図６（ａ）及び（ｂ）に示すように、本実施形態に係る居眠り防止眼鏡１Ａは、左右一対のレンズ３１Ａを保持する前枠３Ａと、前枠３Ａの左右方向両端からそれぞれ後方に延出する左右一対のテンプル本体４７Ａ及びテンプル本体４７Ａから後方に延出し、左右方向内側に湾曲する振動部５Ａを具備する左右一対のストレートテンプル４Ａとを有する眼鏡本体２Ａと、テンプル本体４７Ａに対する振動部５Ａの取付角度を調整する角度調整部８Ａとを備えている。
【００４５】
ストレートテンプル４Ａは、下方に湾曲せず後方に延出されたテンプル、又は下方に若干湾曲して後方に延出されたテンプルである。図６に示すように、本実施形態のストレートテンプル４Ａは、下方に若干湾曲して後方に延出されたテンプルである。このストレートテンプル４Ａは、テンプル本体４７Ａと、振動部５Ａとを具備している。テンプル本体４７Ａは、丁番構造３６Ａを介してヨロイ３５Ａに回動自在に取り付けられている。かかるテンプル本体４７Ａは、略直線状に形成され、ヨロイ３５Ａから後方に延出している。
【００４６】
図７は、ストレートテンプル４Ａの後端部近傍の居眠り防止眼鏡１Ａの拡大側面図である。図７に示すように、テンプル本体４７Ａの後端側には、角度調整部８Ａの第１回転盤８１Ａがテンプル本体４７Ａと一体的に形成されている。一方、テンプル本体４７Ａから後方に延出する振動部５Ａの前端側には、角度調整部８Ａの第２回転盤８２Ａが振動部５と一体的に形成されている。テンプル本体４７Ａと一体的に形成された第１回転盤８１Ａと、振動部５Ａと一体的に形成された第２回転盤８２Ａとは、回転軸８３Ａが挿通されて、図７の紙面と垂直方向（眼鏡本体２Ａの左右方向）に重なっている。
【００４７】
第１回転盤８１Ａがテンプル本体４７Ａと一体的に形成され、第２回転盤８２Ａが振動部５Ａと一体的に形成されているため、装着者が、テンプル本体４７Ａと振動部５Ａとを手に持って、眼鏡本体２Ａと振動部５Ａとに力を加えることで、眼鏡本体２Ａに対して回転軸８３Ａ周りに振動部５Ａを回転（図７に示す矢印Ｒ’方向に回転）させることができる。このように振動部５Ａを回転させることで、テンプル本体４７Ａに対する振動部５Ａの取付角度を変更することができる。
【００４８】
第２回転盤８２Ａと固定された振動部５Ａは、下方に若干湾曲して、第２回転盤８２Ａから後方に延出し、左右方向内側に湾曲している。このように振動部５Ａが左右方向内側に湾曲していることで、眼鏡本体２Ａを装着した際に、装着者の側頭部に振動部５Ａが押し当たる。このように振動部５Ａが側頭部に押し当たることで、ストレートテンプル４Ａで眼鏡本体２Ａを支持することができる。かかる振動部５Ａには、実施形態１の振動部５と同様に振動モータ６１Ａが備えられ、このように側頭部に押し当てられる振動部５Ａに振動モータ６１Ａが内蔵されていることで、振動モータ６１Ａの振動が装着者に直接伝達される。
【００４９】
本実施形態の眼鏡本体２Ａは、振動部５Ａの前端部から分岐し、耳の裏側に沿うように湾曲した耳掛部４９Ａを有している。ストレートテンプル４Ａとは別に、このような耳掛部４９Ａを備えることで、眼鏡本体２Ａをストレートテンプル４Ａと耳掛部４９Ａとで支持できるため、振動部５Ａが振動しても、眼鏡本体２Ａがずれ落ち難い。また、耳掛部４９Ａの下端部には、軸部材４５Ａを介して耳当て部材４４Ａが揺動可能に取り付けられており、耳当て部材４４Ａによっても眼鏡本体２Ａのずれ落ちが止されている。よって、耳掛部４９Ａ及び耳当て部材４４Ａを備えることで、眼鏡本体２Ａの装着者の頭部が前方に傾いた状態で振動モータ６１Ａが振動しても、眼鏡本体２Ａは、殆どぐらつかず、ずれ落ち難い。
【００５０】
また、耳当て部材４４Ａは、耳掛部４９Ａの下端部と軸部材４５によって揺動可能に連結される揺動部４２Ａと、かかる揺動部４２Ａに連設され耳の裏側に当接可能な耳当接部４３Ａとを有している。耳当接部４３Ａの前端部とテンプル本体４７Ａとは、可撓性の絡み防止部材４６Ａによって連結されている。このような絡み防止部材４６Ａを有することで、眼鏡本体２Ａを外す際に、ストレートテンプル４Ａを上方へ持ち上げて、耳当て部材４４Ａ及び絡み防止部材４６Ａが、図７に二点鎖線で示す状態となっても、耳掛部４９Ａと耳当接部４３Ａの前端部との間が絡み防止部材４６Ａで塞がれているため、髪の毛が耳掛部４９Ａと耳当接部４３Ａとの取り付け部分（揺動部４２Ａ）に入り込み難く、これに絡まることが抑制されている。
【００５１】
本実施形態に係る居眠り防止眼鏡１Ａは、起動スイッチ部６４Ａの突起部６５Ａをオン位置に移動させ、鼻パッド３４Ａを鼻に掛け、振動部５Ａを側頭部に押し当てると共に、耳当て部材４４Ａの耳当接部４３Ａを耳の裏側に掛けて、図７の実線で示すように、耳の裏側で耳当て部材４４Ａ及び絡み防止部材４６Ａを耳掛部４９Ａに押し当てて眼鏡本体２Ａを装着することで使用することができる。このように眼鏡本体２Ａを装着しているときに、装着者が居眠りをし、頭部が前方向に傾くと、眼鏡本体２Ａが前下がりに傾き、振動部５Ａのスイッチ部６３Ａがオンになる。スイッチ部６３Ａがオンになると、振動部５Ａの振動モータ６１Ａに電源６２Ａから電力が供給され、振動モータ６１Ａが振動する。振動モータ６１Ａの振動は、振動部５Ａから直接眼鏡本体２の装着者の側頭部に伝達される。
【００５２】
このように、眼鏡者の側頭部に押し当てられる振動部５Ａに振動モータ６１Ａを内蔵することで、振動モータ６１の振動が直接装着者に伝わり、小さな振動でも装着者を目覚めさせることができる。
【００５３】
また、本実施形態に係る居眠り防止眼鏡１Ａは、テンプル本体４７Ａに対する振動部５Ａの取付角度を調整することができるので、眼鏡本体２Ａを装着したときの眼鏡本体２Ａの傾きに個人差があっても、装着者に応じて振動部５Ａの取付角度を調整することで、個人差の有無に関係なく、居眠り状態を精度良く検知することができる。
【００５４】
以下、実施形態１及び２に係る居眠り防止眼鏡１、１Ａに適用可能な変形例を示す。実施形態１のケース体７０は、眼鏡本体２を装着者が装着した時に、後下がりとなるように筐体６に配置されているが、前下がりとなるように筐体に配置しても良い。前下がりに配置するときは、第１電極及び第２電極は、ケース体の後端部からケース室内に延出させる。かかる変形例においては、眼鏡本体の装着者の頭部が後方に傾くと、球体は、ケース室の後方部に移動して、後方部から延出された第１電極と第２電極とに接触し、スイッチ部がオンとなる。よって、かかる変形例においては、装着者の頭部が後方に傾いたときに、装着者に振動を与えることができる。
【００５５】
また、スイッチ部は、眼鏡本体が前下がりに傾いても、後下がりに傾いても、電源から振動モータへの電力の供給をオンする構成にしても良い。図８は、スイッチ部６３Ｂの断面図である。図８に示すように、かかる構成のスイッチ部６３Ｂにおけるケース体７０Ｂは、内部に円弧状に湾曲したケース室７１Ｂを有した形状に形成されている。第１電極７２Ｂは、円弧状に湾曲した細長部材で形成され、ケース体７０Ｂの前端部（図７においては、左側）からケース室７１Ｂ内に延出され、先端部が、ケース室７１Ｂの後方部（図７においては、右側）に位置している。一方、第２電極７３Ｂは、ケース体７０Ｂの内周面の上面にケース室７１Ｂの前方部から後方部に亘って設けられている。第２電極７３Ｂは、ケース室７１Ｂの前方部と後方部とにおいて、ケース室７１Ｂの下方側に盛り上がっており、球体７４Ｂがケース室７１の前方部及び後方部に移動すると、球体７４Ｂと接触するように形成されている。球体７４Ｂは、ケース室７１Ｂにおいて、いずれの位置においても、第１電極７２Ｂと接触することが可能な大きさに形成されている。眼鏡本体が前下がりに傾くと、球体７４Ｂは、ケース室７１Ｂの前方部に移動して、第２電極７３Ｂの前方部側の盛り上がった部分と接触する。また、眼鏡本体が後下がりに傾くと、球体７４Ｂは、ケース室７１Ｂの後方部に移動して、第２電極７３Ｂの後部方側の盛り上がった部分と接触する。かかる構成のスイッチ部６３Ｂにおいては、眼鏡本体が前下がりに傾いても、後下がりに傾いても球体７４Ｂが第２電極７３Ｂと接触し、第１電極７２Ｂと第２電極７３Ｂとが導通する。従って、かかる構成スイッチ部６３Ｂは、眼鏡本体の装着者が居眠りして、頭部が前方向に傾いた場合でも後方向に傾いた場合でも、装着者に振動を与えて目覚めさせることができる。
【００５６】
また、スイッチ部は、前後方向のみならず、前後左右を含めた全方向の傾きが検知でき、眼鏡本体が何れの方向に傾いても、電源から振動モータへの電力の供給をオンすることができる構成にしても良い。図９は、このようなことが可能なスイッチ部６３Ｃの概略構成図であり、（ａ）は、スイッチ部６３Ｃの断面図を示し、（ｂ）はスイッチ部６３Ｃの平面図を示し、（ｃ）は何れかの方向に傾いた状態のスイッチ部６３Ｃの断面図を示す。図９(ａ)及び(ｂ)に示すように、スイッチ部６３Ｃは、底体７５Ｃと、リング体７６Ｃと、蓋体７７Ｃと、球体７４Ｃとを備える。底体７５Ｃの上面部には、球体７４Ｃが収容される窪み部７５１Ｃが中央に形成されている。この上面部は、窪み部７５１Ｃより外側の部分が、径外方向に向かうに従い上方に位置する逆円錐状に形成されている。底体７５Ｃは、金属等の導電体で形成され、電源と接続されて、第１電極７２Ｃとして機能する。リング体７６Ｃは、底体７５Ｃの上面部の外周部に載置されている。かかるリング体７６Ｃは、絶縁体で形成されている。蓋体７７Ｃは、円盤状に形成され、リング体７６Ｃの上面に載置されている。蓋体７７Ｃは、金属等の導電体で形成され、振動モータ６１と接続されて、第２電極７３Ｃとして機能する。蓋体７７Ｃは絶縁体で形成されたリング体７６に載置されているので、蓋体７７Ｃと底体７５Ｃとは絶縁されている。スイッチ部６３Ｃは、このような構成の底体７５Ｃ、リング体７６Ｃ、蓋体７７Ｃによって囲まれるケース室７１Ｃを有し、かかるケース室７１Ｃに球体７４Ｃが収容されている。ケース室７１Ｃは、底体７５Ｃの上面部が略逆円錐状に形成されているため、外周部に向かうに従い、上下方向高さが小さくなっている。
【００５７】
図９（ｃ）に示すように、眼鏡本体が何れかの方向に傾くと、球体７４Ｃは窪み部７５１Ｃから出て、径外方向にケース室７１Ｃ内を移動する。前記のように、ケース室７１Ｃの上下方向高さは、外周部に向かうに従い小さくなっているので、球体７４Ｃは、ケース室７１Ｃの外周部に移動すると、底体７５Ｃと蓋体７７Ｃとに接触する。これにより、球体７４を介して、底体７５Ｃ（第１電極７２Ｃ）と蓋体７７（第２電極７３Ｃ）とが導通する。この導通により、電源から振動モータへの電力の供給がオンされて、振動モータが振動する。従って、かかる構成のスイッチ部６３Ｃによれば、眼鏡本体の装着者が居眠りして、頭部が何れの方向に傾いた場合でも、装着者に振動を与えて目覚めさせることができる。
【００５８】
また、角度調整部は、図１０に示すような構成としてもよい。図１０は、角度調整部８Ｂの断面図である。図１０に示すように、角度調整部８Ｂは、第１回転盤８１Ｂ及び第２回転盤８２Ｂと座金８５Ｂとの間に介在し、回転軸８３Ｂの軸方向に伸縮可能なスプリング８６Ｂを備えている。例えば、図１０に示す角度調整部８を実施形態１の居眠り防止眼鏡１に適用した場合は、眼鏡本体２と振動部５とを、実施形態２の居眠り防止眼鏡１Ａに適用した場合は、テンプル本体４７Ａと振動部５Ａとを回転軸８３Ｂの軸方向に離間するように引っ張ると、第１回転盤８１Ｂと第２回転盤８２Ｂとが回転軸８３Ｂ方向に離間する。これにより、第１回転盤８１Ｂと第２回転盤８２Ｂとの表面に形成された凹凸部の噛み合いが解除される。凹凸部の噛み合いが解除されると、第１回転盤８１Ｂと第２回転盤８２Ｂとは、相対的に回転することが可能となる。また、互いの表面に形成された凹凸部が噛み合うことができる位置で、第１回転盤８１Ｂと第２回転盤８２Ｂとを回転軸８３Ｂの軸方向に離間させる力を解除すると、スプリング８６Ｂによって、第１回転盤８１Ｂと第２回転盤８２Ｂとが互いに他方の表面に押し付けられる。これにより、第１回転盤８１Ｂと第２回転盤８２Ｂとの凹凸部が噛み合って、第１回転盤８１Ｂと第２回転盤８２Ｂとの相対的な回転が不能となる。
【００５９】
また、振動部は、スイッチ部に代えて、電源から振動モータへの電力の供給を所定の時間間隔でオンオフするタイムスイッチ部を有しても良い。タイムスイッチ部を有すると、所定の時間間隔で電源から振動モータへの電力の供給がオンオフされる。ここで、所定間隔で電力の供給がオンオンするとは、電力の供給がオンする間隔が、毎回同じである場合も、異なっている場合も含む。このように所定間隔で電力の供給がオンオフするので、振動モータが、所定の時間間隔で振動し、所定の時間間隔で装着者に振動が与えられる。よって、振動部がタイムスイッチ部を有する構成では、眼鏡本体の傾きに関係なく振動モータが振動するので、装着者が居眠りをしていなくても装着者に振動を与えることができ、よって、装着者が居眠りすることを未然に防止できる。
【図面の簡単な説明】
【００６０】
【図１】図１は実施形態１に係る居眠り防止眼鏡の外観図であり、（ａ）は側面図を示し、（ｂ）は平面図を示す。
【図２】図２は、テンプルの後端部及び振動部近傍の居眠り防止眼鏡の拡大側面図である。
【図３】図３は、振動部の概略回路図である。
【図４】図４は、スイッチ部の断面図である。
【図５】図５は、図２のＡ―Ａ断面図である。
【図６】図６は実施形態２に係る居眠り防止眼鏡の外観図であり、（ａ）は側面図を示し、（ｂ）は平面図を示す。
【図７】図７は、実施形態２に係る居眠り防止眼鏡のテンプルの後端部近傍の拡大側面図である。
【図８】図８は、１つの変形例に係るスイッチ部の断面図である。
【図９】図９は、他の変形例に係るスイッチ部の外観図であり、（ａ）は、断面図を示し、（ｂ）は平面図を示し、（ｃ）は何れかの方向に傾いた状態のスイッチ部の断面図を示す。
【図１０】図１０は、変形例に係る居眠り防止眼鏡の角度調整部の断面図である。
【符号の説明】
【００６１】
１、１Ａ…居眠り防止眼鏡、２、２Ａ…眼鏡本体、３、３Ａ・・・前枠、４…テンプル、４Ａ・・・ストレートテンプル、４４、４４Ａ…耳当て部材、４６、４６Ａ…絡み防止部材、５、５Ａ…振動部、８、８Ａ、８Ｂ…角度調整部
【図１】
2008102466.tif 000003
【図２】
2008102466.tif 000004
【図３】
2008102466.tif 000005
【図４】
2008102466.tif 000006
【図５】
2008102466.tif 000007
【図６】
2008102466.tif 000008
【図７】
2008102466.tif 000009
【図８】
2008102466.tif 000010
【図９】
2008102466.tif 000011
【図１０】
2008102466.tif 000012
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
眼鏡本体と、前記眼鏡本体に取り付けられる振動部と、前記眼鏡本体に対する前記振動部の取付角度を調整する角度調整部とを備え、
前記振動部は、
振動モータと、電源と、前記眼鏡本体の傾きを検知する傾きセンサと、前記傾きセンサによって検知された傾きに基づいて、前記電源から前記振動モータへの電力の供給をオンオフするスイッチ部とを有し、
前記角度調整部は、前記眼鏡本体に固定された第１回転盤と、前記振動部に固定された第２回転盤と、前記第１回転盤と前記第２回転盤とに挿通された回転軸とを備え、
前記第１回転盤と前記第２回転盤とは、径方向に延びる凹凸部が表面に複数形成され、互いの表面に形成された凹凸部が噛み合った状態では、前記回転軸周りの相対的な回転が不能である一方、互いの表面に形成された凸部が弾性変形すること、又は、互いの表面に形成された凹凸部が前記回転軸の軸方向に互いに離間することによって、前記回転軸周りに相対的な回転が可能となることを特徴とする居眠り防止眼鏡。
【請求項２】
眼鏡本体と、前記眼鏡本体に取り付けられる振動部と、前記眼鏡本体に対する前記振動部の取付角度を調整する角度調整部とを備え、
前記振動部は、
振動モータと、電源と、前記電源から前記振動モータへの電力の供給を所定の時間間隔でオンオフするタイムスイッチ部とを有し、
前記角度調整部は、前記眼鏡本体に固定された第１回転盤と、前記振動部に固定された第２回転盤と、前記第１回転盤と前記第２回転盤とに挿通された回転軸とを備え、
前記第１回転盤と前記第２回転盤とは、径方向に延びる凹凸部が表面に複数形成され、互いの表面に形成された凹凸部が噛み合った状態では、前記回転軸周りの相対的な回転が不能である一方、互いの表面に形成された凸部が弾性変形すること、又は、互いの表面に形成された凹凸部が前記回転軸の軸方向に互いに離間することによって、前記回転軸周りに相対的な回転が可能となることを特徴とする居眠り防止眼鏡。
【請求項３】
レンズを保持する前枠と、前記前枠の左右方向両端からそれぞれ後方に延出する左右一対のテンプル本体、及び前記テンプル本体から後方に延出し、左右方向内側に湾曲する振動部を具備する左右一対のテンプルとを有する眼鏡本体と、前記テンプル本体に対する前記振動部の取付角度を調整する角度調整部とを備え、
前記振動部は、
振動モータと、電源と、前記眼鏡本体の傾きを検知する傾きセンサと、前記傾きセンサによって検知された傾きに基づいて、前記電源から前記振動モータへの電力の供給をオンオフするスイッチ部とを有し、
前記テンプルは、ストレートテンプルであり、
前記眼鏡本体は、前記振動部の前端部から分岐し、耳の裏側に沿うように湾曲した耳掛部を有することを特徴とする居眠り防止眼鏡。
【請求項４】
レンズを保持する前枠と、前記前枠の左右方向両端からそれぞれ後方に延出する左右一対のテンプル本体、及び前記テンプル本体から後方に延出し、左右方向内側に湾曲する振動部を具備する左右一対のテンプルとを有する眼鏡本体と、前記テンプル本体に対する前記振動部の取付角度を調整する角度調整部とを備え、
前記振動部は、
振動モータと、電源と、前記電源から前記振動モータへの電力の供給を所定の時間間隔でオンオフするタイムスイッチ部とを有し、
前記テンプルは、ストレートテンプルであり、
前記眼鏡本体は、前記振動部の前端部から分岐し、耳の裏側に沿うように湾曲した耳掛部を有することを特徴とする居眠り防止眼鏡。
【請求項５】
前記眼鏡本体は、軸部材を介して前記耳掛部に揺動可能に取り付けられ、耳の裏側に当接可能な耳当接部を有する耳当て部材と、
前記テンプルの前記耳当て部材が取り付けられた前記耳掛部の部位より前方にある所定部と前記耳当接部の前端部とを連結する可撓性の絡み防止部材とを有することを特徴とする請求項３又は４に記載の居眠り防止眼鏡。
【請求項６】
前記角度調整部は、前記テンプル本体に固定された第１回転盤と、前記振動部に固定された第２回転盤と、前記第１回転盤と前記第２回転盤とに挿通された回転軸とを備え、
前記第１回転盤と前記第２回転盤とは、径方向に延びる凹凸部が表面に複数形成され、互いの表面に形成された凹凸部が噛み合った状態では、前記回転軸周りの相対的な回転が不能である一方、互いの表面に形成された凸部が弾性変形すること、又は、互いの表面に形成された凹凸部が前記回転軸の軸方向に互いに離間することによって、前記回転軸周りに相対的な回転が可能となることを特徴とする請求項３から５の何れか１項に記載の居眠り防止眼鏡。
【手続補正２】
【補正対象書類名】明細書
【補正対象項目名】０００６
【補正方法】変更
【補正の内容】
【０００６】
本発明は、第１の手段として、眼鏡本体と、前記眼鏡本体に取り付けられる振動部と、前記眼鏡本体に対する前記振動部の取付角度を調整する角度調整部とを備え、前記振動部は、振動モータと、電源と、前記眼鏡本体の傾きを検知する傾きセンサと、前記傾きセンサによって検知された傾きに基づいて、前記電源から前記振動モータへの電力の供給をオンオフするスイッチ部とを有し、前記角度調整部は、前記眼鏡本体に固定された第１回転盤と、前記振動部に固定された第２回転盤と、前記第１回転盤と前記第２回転盤とに挿通された回転軸とを備え、前記第１回転盤と前記第２回転盤とは、径方向に延びる凹凸部が表面に複数形成され、互いの表面に形成された凹凸部が噛み合った状態では、前記回転軸周りの相対的な回転が不能である一方、互いの表面に形成された凸部が弾性変形すること、又は、互いの表面に形成された凹凸部が前記回転軸の軸方向に互いに離間することによって、前記回転軸周りに相対的な回転が可能となる居眠り防止眼鏡を提供する。
【手続補正３】
【補正対象書類名】明細書
【補正対象項目名】００１０
【補正方法】変更
【補正の内容】
【００１０】
かかる角度調整部は、眼鏡本体に固定された第１回転盤と、振動部に固定された第２回転盤と、第１回転盤と第２回転盤とに挿通された回転軸とを備えている。第１回転盤と第２回転盤とは、互いの表面に形成された凹凸部が噛み合って（第１回転盤の表面に形成された凹部と第２回転盤の表面に形成された凸部とが、及び、第１回転盤の表面に形成された凸部と第２回転盤の表面に形成された凹部とが、それぞれ噛み合って）回転軸周りの相対的な回転が不能とされている。第１回転盤及び第２回転盤の表面に形成された凸部が弾性変形可能とすることにより、互いの表面に形成された凹凸部が噛み合った状態で、眼鏡本体又は振動部に対して回転軸周りに回転させる力を加えると、互いの隣接する凸部同士が回転力を加えた方向に押圧し合って弾性変形する。これにより、隣接する凸部同士が互いに乗り越えて回転することになり、第１回転盤と第２回転盤とが相対的に回転可能となる。そして、互いの表面に形成された凹凸部が噛み合うことができる位置で回転力を解除すると、互いの表面に形成された凸部が元の形状に戻り、互いの表面に形成された凹凸部が噛み合って、第１回転盤と第２回転盤との相対的な回転が不能となる。また、第１回転盤及び第２回転盤の表面に形成された凹凸部が回転軸の軸方向に離間可能となることにより、互いの表面に形成された凹凸部の噛み合いが解除されるまで離間させれば、第１回転盤と第２回転盤とが相対的に回転可能となる。そして、互いの表面に形成された凹凸部が噛み合うことができる位置で回転軸の軸方向に互いの凹凸部を近づければ、互いの表面に形成された凹凸部が噛み合って、第１回転盤と第２回転盤との相対的な回転が不能となる。
【手続補正４】
【補正対象書類名】明細書
【補正対象項目名】００１１
【補正方法】変更
【補正の内容】
【００１１】
また、本発明は、第２の手段として、眼鏡本体と、前記眼鏡本体に取り付けられる振動部と、前記眼鏡本体に対する前記振動部の取付角度を調整する角度調整部とを備え、前記振動部は、振動モータと、電源と、前記電源から前記振動モータへの電力の供給を所定の時間間隔でオンオフするタイムスイッチ部とを有し、前記角度調整部は、前記眼鏡本体に固定された第１回転盤と、前記振動部に固定された第２回転盤と、前記第１回転盤と前記第２回転盤とに挿通された回転軸とを備え、前記第１回転盤と前記第２回転盤とは、径方向に延びる凹凸部が表面に複数形成され、互いの表面に形成された凹凸部が噛み合った状態では、前記回転軸周りの相対的な回転が不能である一方、互いの表面に形成された凸部が弾性変形すること、又は、互いの表面に形成された凹凸部が前記回転軸の軸方向に互いに離間することによって、前記回転軸周りに相対的な回転が可能となる居眠り防止眼鏡を提供する。
【手続補正５】
【補正対象書類名】明細書
【補正対象項目名】００１２
【補正方法】変更
【補正の内容】
【００１２】
第２の手段として提供される居眠り防止眼鏡は、第１の手段として提供される居眠り防止眼鏡と同様に、眼鏡本体と、振動部と、角度調整部とを備える。振動部は、振動モータと、電源と、電源から振動モータへの電力の供給を所定の時間間隔でオンオフするタイムスイッチ部とを有している。所定の時間間隔で電源から振動モータへの電力の供給がオンオフされることで、振動モータは、所定の時間間隔で振動し、所定の時間間隔で装着者に振動を与える。よって、第２の手段として提供される居眠り防止眼鏡は、装着者が居眠りをしていなくても振動が与えられるので、装着者が居眠り状態となることを未然に防止することができる。
【手続補正６】
【補正対象書類名】明細書
【補正対象項目名】００１３
【補正方法】変更
【補正の内容】
【００１３】
また、第２の手段として提供される居眠り防止眼鏡の角度調整部は、第１の手段として提供される居眠り防止眼鏡の角度調整部と同一の構成、即ち、眼鏡本体に固定された第１回転盤と、振動部に固定された第２回転盤と、第１回転盤と第２回転盤とに挿通された回転軸とを備えている。第２の手段として提供される居眠り防止眼鏡の第１回転盤と第２回転盤とは、第１の手段として提供される居眠り防止眼鏡の第１回転盤と第２回転盤と同様に、相対的に回転可能又は不能な状態を取ることができる。
【手続補正７】
【補正対象書類名】明細書
【補正対象項目名】００１４
【補正方法】変更
【補正の内容】
【００１４】
また、本発明は、第３の手段として、レンズを保持する前枠と、前記前枠の左右方向両端からそれぞれ後方に延出する左右一対のテンプル本体、及び前記テンプル本体から後方に延出し、左右方向内側に湾曲する振動部を具備する左右一対のテンプルとを有する眼鏡本体と、前記テンプル本体に対する前記振動部の取付角度を調整する角度調整部とを備え、前記振動部は、振動モータと、電源と、前記眼鏡本体の傾きを検知する傾きセンサと、前記傾きセンサによって検知された傾きに基づいて、前記電源から前記振動モータへの電力の供給をオンオフするスイッチ部とを有し、前記テンプルは、ストレートテンプルであり、前記眼鏡本体は、前記振動部の前端部から分岐し、耳の裏側に沿うように湾曲した耳掛部を有する居眠り防止眼鏡を提供する。
【手続補正８】
【補正対象書類名】明細書
【補正対象項目名】００１６
【補正方法】変更
【補正の内容】
【００１６】
第３の手段として提供される居眠り防止眼鏡は、ストレートテンプルと耳掛部とを有し、ストレートテンプルと耳掛部とで眼鏡本体を支持することができるため、眼鏡本体がずれ落ち難く、振動部が振動しても眼鏡本体がずれ落ちる恐れが少ない。
【手続補正９】
【補正対象書類名】明細書
【補正対象項目名】００１７
【補正方法】変更
【補正の内容】
【００１７】
また、本発明は、第４の手段として、レンズを保持する前枠と、前記前枠の左右方向両端からそれぞれ後方に延出する左右一対のテンプル本体、及び前記テンプル本体から後方に延出し、左右方向内側に湾曲する振動部を具備する左右一対のテンプルとを有する眼鏡本体と、前記テンプル本体に対する前記振動部の取付角度を調整する角度調整部とを備え、前記振動部は、振動モータと、電源と、前記電源から前記振動モータへの電力の供給を所定の時間間隔でオンオフするタイムスイッチ部とを有し、前記テンプルは、ストレートテンプルであり、前記眼鏡本体は、前記振動部の前端部から分岐し、耳の裏側に沿うように湾曲した耳掛部を有する居眠り防止眼鏡を提供する。
【手続補正１０】
【補正対象書類名】明細書
【補正対象項目名】００１８
【補正方法】変更
【補正の内容】
【００１８】
第４の手段として提供される居眠り防止眼鏡のテンプルは、第３の手段として提供される居眠り防止眼鏡と同様に、テンプル本体から後方に延出し、左右方向内側に湾曲する振動部を具備している。よって、振動部の振動を装着者に直接伝達できる。また、振動部は、第２の手段として提供される居眠り防止眼鏡の振動部と同様に、振動モータと、電源と、タイムスイッチ部とを有している。従って、第４の手段として提供される居眠り防止眼鏡は、振動モータの振動が小さくても、装着者が居眠り状態となることを未然に防止することができる。
【手続補正１１】
【補正対象書類名】明細書
【補正対象項目名】００１９
【補正方法】変更
【補正の内容】
【００１９】
また、第４の手段として提供される居眠り防止眼鏡は、第３の手段として提供される居眠り防止眼鏡と同様に、ストレートテンプルと耳掛部とを有しており、振動部が振動しても眼鏡本体がずれ落ちる恐れが少なくされている。